(57)【要約】【課題】油や埃などが付着・蓄積されたフィルターの洗浄性を高めることで清掃やメンテナンスの手間を軽減する洗浄機能を備えたレンジフードを供給する。【解決手段】レンジフード内に備えた洗浄ケーシング１１は、フィルター１０と対向する内縁を導電体である洗浄ケーシング内縁２１、外縁を絶縁体とした洗浄ケーシング外縁２０で構成し、フィルター１０を導電体とし、洗浄ケーシング内縁２１とフィルター１０を電極とする電圧電流供給装置２３を有するので、洗浄時に水の電気分解による気泡発生を用いて、油汚れを吸着し剥離させる、汚れに衝突して剥がしとる、再付着を防止するといった洗浄性を高めることが可能となり、清掃やメンテナンスの手間を軽減させることが可能となる。【選択図】図３
2017044440.tif 000002
【特許請求の範囲】
【請求項１】
汚染された空気を吸込む吸込口と、吐出口と、排気送風用の排気装置を内包した送風ケーシングとを連通して通風路を設けたフードと、
前記吸込口下流側に駆動手段により回転するフィルターと、
前記フィルターを包囲する洗浄ケーシングと、
前記フィルターに対向する少なくとも１つの噴射口を有した筒状の洗浄ノズルと、
前記洗浄ノズルに水を供給する給水手段と、
前記洗浄ケーシング内に散乱した汚水の排水手段を有するものにおいて、
前記洗浄ケーシングは前記フィルターと対向する内縁を導電体、外縁を絶縁体とし、
前記フィルターは導電体であり、前記駆動手段とともに絶縁体の駆動手段接合部により前記洗浄ケーシング外縁で保持されており、
前記洗浄ケーシング内面と前記フィルターを電極とする電圧電流供給装置を有するレンジフード。
【請求項２】
汚染された空気を吸込む吸込口と、吐出口と、排気送風用の排気装置を内包した送風ケーシングとを連通して通風路を設けたフードと、
前記吸込口下流側に駆動手段により回転するフィルターと、
前記フィルターを包囲する洗浄ケーシングと、
前記フィルターに対向する少なくとも１つの噴射口を有した筒状の洗浄ノズルと、
前記洗浄ノズルに水を供給する給水手段と、
前記洗浄ケーシング内に散乱した汚水の排水手段を有するものにおいて、
前記洗浄ケーシングは絶縁体であり、
前記フィルターに対向する導電性の対向板を設け、前記対向板は絶縁体を介して前記洗浄ケーシングに接続されており、
前記フィルターは導電体であり、前記駆動手段とともに絶縁体の駆動手段接合部により前記洗浄ケーシング外縁で保持されており、
前記対向板と前記フィルターを電極とする電圧電流供給装置を有するレンジフード。
【請求項３】
前記フィルターの排気装置側である片面のみを絶縁体で覆う構造とする請求項１または２に記載のレンジフード。
【請求項４】
前記給水手段または貯水手段へ電解質を投入する電解質投入手段を備えた請求項１から３のいずれか一つに記載のレンジフード。
【発明の詳細な説明】
【技術分野】
【０００１】
本発明は、油煙や埃といった空気の汚れである粒子を捕集するフィルターを備えたレンジフードに関する。
【背景技術】
【０００２】
従来、この種のレンジフードには調理で発生する油煙や埃等を捕集する目的としてフィルターが取り付けられているものが知られている（例えば、特許文献１参照）。
【０００３】
以下、そのレンジフードについて図７を参照しながら説明する。
図７は特許文献１に開示されている従来のレンジフード１００の構成図である。油煙等の汚れを含む空気１０１は、吸気口１０２を通過して排気装置１０３の前方に配置されたフィルター１０４を通過する。センサー１０６がフィルター１０４の汚れを検知すると、回転可動装置１０５がフィルター１０４を回転させて、汚れを遠心力で除去する。
【０００４】
また、この種のレンジフードには調理で発生する油煙や埃等を捕集するフィルターを洗浄液に浸漬させて洗浄するものもある（例えば、特許文献２参照）。
【０００５】
以下、そのレンジフードについて図８を参照しながら説明する。
【０００６】
図８は特許文献２に開示されている他の従来のレンジフード２００の構成図である。
レンジフード２００は、吸引口２０１とファン２０２との間にフィルター２０３を備える。フィルター２０３は水平方向の回転軸２０４で回転できる。フィルター２０３の回転軸２０４より下方部は、洗浄タンク２０５に収容された洗浄液２０６に浸漬される。フィルター２０３の回転軸２０４より上方の部分には油、埃等の汚れを含む空気が通過してその汚れが付着する。そして回転軸２０４によりフィルター２０３を回転させることで、洗浄液２０６に浸漬させて洗浄する。
【先行技術文献】
【特許文献】
【０００７】
【特許文献１】特開平３−１６４６３９号公報
【特許文献２】特開平６−１３７６３０号公報
【発明の概要】
【発明が解決しようとする課題】
【０００８】
このような従来のレンジフード１００では、遠心力だけでは完全に汚れが取り除けずフィルター１０４に残留する。残留した汚れは堆積して乾燥すると、ますます遠心力だけでは汚れを除去するのが困難である。そのため、長期使用による油汚れの蓄積がフィルター１０４の目詰まりを起こし、レンジフードの基本機能である換気風量の低下または汚れを吸引口から吸引することが困難となる。
【０００９】
また、従来のレンジフード２００では、洗浄率が十分高いものではなく、また洗浄後に洗浄液２０６内に油汚れが浮遊する。浮遊している油汚れはフィルター２０３に再付着し、残着する。残着した油汚れは乾燥すると除去が困難となりさらに洗浄率を低下させ、次第にフィルター２０３の汚れ蓄積が目詰まりを招き、レンジフード２００の性能が低下する。
【００１０】
そして、上記のように、これらのフィルターは、使用とともに汚れが堆積するので、定期的にフィルターを取り外してのメンテナンスをすることが必要となる。
【００１１】
そこで本発明は、上記従来の課題を解決するものであり、フィルターの洗浄性を向上したレンジフードを提供することを目的としている。
【課題を解決するための手段】
【００１２】
そして、この目的を達成するために、本発明は、汚染された空気を吸込む吸込口と、吐出口と、排気送風用の排気装置を内包した送風ケーシングとを連通して通風路を設けたフードと、前記吸込口下流側に駆動手段により回転するフィルターと、前記フィルターを包囲する洗浄ケーシングと、前記フィルターに対向する少なくとも１つの噴射口を持った筒状の洗浄ノズルと、前記洗浄ノズルに水を供給する給水手段と、前記洗浄ケーシング内に散乱した汚水の排水手段を有するレンジフードであって、前記洗浄ケーシングは前記フィルターと対向する内縁を導電体、外縁を絶縁体とし、前記フィルターは導電体であり、前記駆動手段とともに絶縁体の駆動手段接合部により前記洗浄ケーシング外縁で保持されており、前記洗浄ケーシング内面と前記フィルターを電極とする電圧電流供給装置を有するものであり、これにより所期の目的を達成するものである。
【発明の効果】
【００１３】
本発明のレンジフードは、汚染された空気を吸込む吸込口と、吐出口と、排気送風用の排気装置を内包した送風ケーシングとを連通して通風路を設けたフードと、前記吸込口下流側に駆動手段により回転するフィルターと、前記フィルターを包囲する洗浄ケーシングと、前記フィルターに対向する少なくとも１つの噴射口を有した筒状の洗浄ノズルと、洗浄ノズルに水を供給する給水手段と、前記洗浄ケーシング内に散乱した汚水の排水手段を有するレンジフードであって、
前記洗浄ケーシングは前記フィルターと対向する内縁を導電体、外縁を絶縁体とし、前記フィルターは導電体であり、前記駆動手段とともに絶縁体の駆動手段接合部により前記洗浄ケーシング外縁で保持されており、前記洗浄ケーシング内面と前記フィルターを電極とする電圧電流供給装置を有するものであるので、フィルターの洗浄時に、洗浄ケーシング内に水が溜まると電極が浸漬され、電圧印加により電流が流れる。すると、水の電気分解が生じ、フィルターや洗浄ケーシングから気泡が多量に発生する。この気泡により、油汚れを吸着し剥離させる、汚れに衝突して剥がしとる、再付着を防止するといった洗浄性を高める効果を奏する。
【００１４】
また、汚染された空気を吸込む吸込口と、吐出口と、排気送風用の排気装置を内包した送風ケーシングとを連通して通風路を設けたフードと、前記吸込口下流側に駆動手段により回転するフィルターと、前記フィルターを包囲する洗浄ケーシングと、前記フィルターに対向する少なくとも１つの噴射口を有した筒状の洗浄ノズルと、前記洗浄ノズルに水を供給する給水手段と、前記洗浄ケーシング内に散乱した汚水の排水手段を有するものにおいて、前記洗浄ケーシングは絶縁体であり、前記フィルターに対向する導電性の対向板を設け、前記対向板は絶縁体で前記洗浄ケーシングに接続されており、前記フィルターは導電体であり、前記駆動手段とともに絶縁体の駆動手段接合部により前記洗浄ケーシング外縁で保持されており、前記対向板と前記フィルターを電極とする電圧電流供給装置を有するものであるので、フィルターの洗浄時に、洗浄ケーシング内に水が溜まると電極が浸漬され、電圧印加により電流が流れる。すると、水の電気分解が生じ、フィルターや対向板から気泡が多量に発生する。この気泡により、油汚れを吸着し剥離させる、汚れに衝突して剥がしとる、再付着を防止するといった洗浄性を高める効果を奏する。
【図面の簡単な説明】
【００１５】
【図１】本発明の実施の形態１のレンジフードの側面構成図
【図２】本開発の実施の形態１のレンジフードの送風ケーシングの切断面をフィルターの下流側から見た図（図１のＡ‐Ａ‘断面図）
【図３】本開発の実施の形態１のレンジフードの洗浄時のモデル図
【図４】本開発の実施の形態２のレンジフードの設置状態を示す側面構成図
【図５】本開発の実施の形態２のレンジフードの洗浄時のモデル図
【図６】本開発の実施の形態３のレンジフードの洗浄時のモデル図
【図７】従来のレンジフードの設置状態を示す構成図
【図８】従来の他のレンジフードの設置状態を示す構成図
【発明を実施するための形態】
【００１６】
本発明の請求項１に係わるレンジフードは、調理器の上方または周囲に設置され、汚染された空気を吸込む吸込口と、吐出口と、排気送風用の排気装置を内包した送風ケーシングとを連通して通風路を設けたフードと、前記吸込口下流側に駆動手段により回転するフィルターと、前記フィルターを包囲する洗浄ケーシングと、前記フィルターに対向する少なくとも１つの噴射口を有した筒状の洗浄ノズルと、前記洗浄ノズルに水を供給する給水手段と、前記洗浄ケーシング内に散乱した汚水の排水手段を有するレンジフードであって、前記洗浄ケーシングは前記フィルターと対向する内縁を導電体、外縁を絶縁体とし、前記フィルターは導電体であり、前記駆動手段とともに絶縁体の駆動手段接合部により前記洗浄ケーシング外縁で保持されており、前記洗浄ケーシング内面と前記フィルターを電極とする電圧電流供給装置を有する。
【００１７】
これにより、フィルターの洗浄時に、洗浄ケーシング内に水が溜まると電極が浸漬され、電圧印加により電流が流れる。すると、水の電気分解が生じ、フィルターや洗浄ケーシングから気泡が多量に発生する。この気泡により、油汚れを吸着し剥離させる、汚れに衝突して剥がしとる、再付着を防止するといった洗浄性を高める効果を奏する。
【００１８】
また、本発明の請求項２に係わるレンジフードは、調理器の上方または周囲に設置され、汚染された空気を吸込む吸込口と、吐出口と、排気送風用の排気装置を内包した送風ケーシングとを連通して通風路を設けたフードと、前記吸込口下流側に駆動手段により回転するフィルターと、前記フィルターを包囲する洗浄ケーシングと、前記フィルターに対向する少なくとも１つの噴射口を有した筒状の洗浄ノズルと、前記洗浄ノズルに水を供給する給水手段と、前記洗浄ケーシング内に散乱した汚水の排水手段を有するものにおいて、前記洗浄ケーシングは絶縁体であり、前記フィルターに対向する導電性の対向板を設け、前記対向板は絶縁体で前記洗浄ケーシングに接続されており、前記フィルターは導電体であり、前記駆動手段とともに絶縁体の駆動手段接合部により前記洗浄ケーシング外縁で保持されており、前記対向板と前記フィルターを電極とする電圧電流供給装置を有する。
【００１９】
これにより、フィルターの洗浄時に、洗浄ケーシング内に水が溜まると電極が浸漬され、電圧印加により電流が流れる。すると、水の電気分解が生じ、フィルターや対向板から気泡が多量に発生する。この気泡により、油汚れを吸着し剥離させる、汚れに衝突して剥がしとる、再付着を防止するといった洗浄性を高める効果を奏する。
【００２０】
また、本発明の請求項３記載に係わるレンジフードは、前記フィルターの排気装置側である片面のみを絶縁体で覆う構造とする。
【００２１】
これにより、気泡発生を汚れが多いフィルター面側へ選択性を持たせることが可能となり洗浄性を向上させる効果を奏する。
【００２２】
また、本発明の請求項４に係わるレンジフードは、前記給水手段または前記貯水装置へ電解質を投入する電解質投入手段を有する。
【００２３】
これにより、使用者の手を煩わせることなく、電解質の投入が可能となり、油の軟化やケン化による油の洗浄除去性の向上だけでなく、水の電気分解も低電圧で実施可能となる効果を奏する。
【００２４】
以下、本発明の実施の形態について図面を参照しながら説明する。
【００２５】
（実施の形態１）
図１に装置を備えたレンジフードの構成を示す。
【００２６】
調理器（図示せず）の上方または周囲に、調理にて発生した油煙や周囲に浮遊する埃である微小物を捕集する吸込口１を設けたフード２を設置し、フード２には、天面に屋外と連通したダクト３を介して連通する吐出口４を設け、内部にはファンとモーターを備えた排気装置５を包括した送風ケーシング６を配設し、この排気装置５を介し吸込口１と吐出口４を結ぶ通風路７を形成している。
【００２７】
また、送風ケーシング６の上流側であって、フード２内の吸込口１側には、平坦な整流板８が設けられ、吸込口１の下流側となる排気装置５の前面に駆動手段９を連結した油や埃を捕集するためのフィルター１０を設けている。
【００２８】
フィルター１０の外縁には、フィルター１０の下方部分を覆うような筒形状の洗浄ケーシング１１を有し、フィルター１０の上流側には、少なくとも１つの噴射口を持ちフィルター１０に対向した洗浄ノズル１２が設けられている。
【００２９】
洗浄ノズル１２は、貯水装置１３と給水ポンプ１４と給水パイプ１５ａおよび給水パイプ１５ｂからなる給水手段１６に接続されている。また、洗浄ケーシング１１の下端部には小孔１７と電磁弁１８を設け、洗浄後の洗浄ケーシング１１内に貯まった汚水は電磁弁１８を開けることで小孔１７から排水手段１９へと回収する構造を設けている。貯水装置１３には、フィルター１０に固着した油や埃などの汚れを剥がしやすくするため、例えば約４０℃のお湯を洗浄前に入れることも可能である。以下では水と記載して説明する。
【００３０】
さらに図２は、図１の送風ケーシング６のＡ−Ａ‘断面から吸込口１に向かってフィルター１０を下流側から見た図である。洗浄ケーシング１１は二重構造となっており、洗浄ケーシング外縁２０は絶縁体であり、洗浄ケーシング内縁２１は導電体である構造をとる。洗浄ケーシング外縁２０は絶縁性樹脂、もしくは軽量セラミックが良い。洗浄ケーシング内縁２１は、アルミをはじめとする金属または炭素製、好ましくは電流が流れる際の水中への金属イオン溶出を排除するために炭素製やイオン化傾向が小さい白金製とすることが良い。一方フィルター１０は、駆動手段９に固定されており、駆動手段９は、駆動手段接合部２２にて洗浄ケーシング外縁２０の絶縁部に固定されている。またフィルター１０は、電極とするので導電性を有するアルミをはじめとする金属または炭素製、好ましくは電流が流れる際の水中への金属イオン溶出を排除するために炭素製やイオン化傾向が小さい白金製とすることが良く、形状は例えば円盤状をとる。
【００３１】
駆動手段９は、一例としてモーターなどを備え、外側は絶縁体で覆われている。駆動手段接合部２２は、絶縁体で絶縁性樹脂や好ましくは軽量セラミックで構成されている。また、フィルター１０と洗浄ケーシング内縁２１を電極とした電圧電流供給装置２３を設け、フィルター１０まではフィルター側配線２４で絶縁体内部を配線し、フィルター１０以外への漏電を避け、洗浄ケーシング内縁２１も洗浄ケーシング外縁２０の絶縁体により漏電しないようにしている。電極としたフィルター１０は好ましくは陰極とし、洗浄ケーシング内縁２１は好ましくは陽極とするのが良い。フィルター１０と洗浄ケーシング内縁２１は空気で絶縁されているため送風中は電圧電流供給装置２３が作動しても電流が流れないようになっている。図２の構成、すなわち洗浄ケーシング１１は二重構造となっており、洗浄ケーシング外縁２０は絶縁体であり、洗浄ケーシング内縁２１は導電体である構造を取ることで図３に示したような洗浄が可能になる。
【００３２】
以上のように構成したレンジフードは、調理時など油煙や室内の埃などの汚れ捕集時には、電圧電流供給装置２３は作動させず、排気装置５を作動させ送風を行うと発生した油煙は整流板８近傍の吸込口１から通風路７を通り吐出口４から排気される。この際にフィルター１０により汚れは付着することで捕集、蓄積される。蓄積した油汚れはフィルター１０表面にこびりつき、粘度が上がることでさらに付着力が上がり除去が困難になる。また埃などの繊維状の汚れは油など粘度の高い箇所に多く付着し、絡み合い凝集することで除去が困難となり、フィルター１０の孔まで塞ぐことで目詰まりを発生させ、排気風量の低下を招いてしまう。そのため、フィルター１０の洗浄は定期的に必要になる。
【００３３】
フィルター１０の洗浄時には、まず、排気装置５の送風を止める。
【００３４】
そして、駆動手段９によりフィルター１０を回転させ、同時に給水ポンプ１４により貯水装置１３に貯めた水をくみ上げ洗浄ノズル１２に供給する。洗浄ノズル１２の噴射口より噴射された水は、フィルター１０表面に衝突しながら汚れを剥がし落とすとともに、フィルター１０の表面や孔を通過する際に、フィルター１０の孔に絡み合い蓄積された汚れも合わせて除去することができる。あわせてフィルター１０の回転による遠心力によって汚れをフィルター１０の外周側に寄せ、外周縁から飛散させて洗浄することとなる。
【００３５】
さらに、洗浄水が洗浄ケーシング１１に溜まった後、フィルター１０の回転と同時に、電圧電流供給装置２３から一定の値に電流制御をかけた直流電流を流す。洗浄水が電気を通すため、電極間にも電流が流れる。流す電流は、好ましくは１〜３〔Ａ〕で、より好ましくは２〜２．５〔Ａ〕が良い。すると、電極間で水の電気分解が起き、陰極近傍では水素が多量に発生し、陽極近傍では酸素が発生する。これらは水中では気泡となる。水素の発生量は酸素の発生量の倍であるため、フィルター１０を陰極とした場合に以下のように洗浄効果が高まる。これら水素の気泡は疎水性が強く、同じく疎水性である油などの汚れを吸着することができ、さらに水面へ浮上する際には汚れと伴って浮上するので剥がしとることができる。また気泡浮上時に汚れに対して物理的に衝突し、浮き上がらせる効果も有する。したがって洗浄効果が高まる。
【００３６】
洗浄終了後には、洗浄ノズル１２からの給水を止めて、洗浄終了後には電磁弁１８を開けて排水手段へ排水する。その際にはフィルター１０に油などの汚れが再付着することが問題となる。しかし、電流を流し気泡を発生させながら、排水することで気泡がフィルター１０と油汚れの間に存在でき、再付着を防止することができる。この効果は洗浄水内に電解質が存在すると水の伝導率が上がり、低い電圧で多くの気泡を発生させることができるので外部から貯水装置１３または給水手段１６などに投入することで効果が高まる。
【００３７】
以上から本発明のレンジフードは定期的にフィルターを取り外すことなく、乾燥し固着したフィルターの油や埃などの汚れへの洗浄性向上や、再付着を防止する効果を提供する。
【００３８】
（実施の形態２）
図４は、図１に示す実施の形態１の洗浄ケーシング内縁２１の電極に代えて対向板２５をフィルター１０に対向するように設けた図である。
【００３９】
対向板２５は、フィルター１０が洗浄時に洗浄水に浸漬する面積と同等の面積であることが好ましく、導電体でアルミなどの金属、好ましくは炭素製であり、洗浄ケーシング１１に固定されている。
【００４０】
洗浄ケーシング１１は、絶縁体であり絶縁性樹脂や軽量セラミックが好ましい。
【００４１】
フィルター１０は、導電性でアルミなどの金属、好ましくは炭素製であり、駆動手段９はモーターなどで構成され外側は絶縁体で覆われており、絶縁体である駆動手段接合部２２により洗浄ケーシング１１に固定されている。
【００４２】
また、フィルター１０と対向板２５を電極とした電圧電流供給装置２３を設け、フィルター側配線２４は駆動手段接合部２２と駆動手段９の絶縁体内部を配線し、フィルター１０以外への漏電を避ける構造にしている。対向板２５も洗浄ケーシング１１の絶縁体により漏電しないようにしている。電極としたフィルター１０は、好ましくは陰極とし、対向板２５は好ましくは陽極となるようにするのが良く、電極間は空気で絶縁されているため電流が流れないようになっている。
【００４３】
以上のように構成したレンジフードは、洗浄時に洗浄ノズル１２から洗浄水が供給され、水で洗浄ケーシング１１内が満たされると図５に示したような洗浄が可能になり、実施の形態１の作用と効果同等の結果を得ることができる。
【００４４】
（実施の形態３）
また、図１において、フィルター１０の排気装置５側である片面のみを絶縁体で覆い、フィルター絶縁面２６とすることで、吸込口１側のフィルター１０面のみが導電性を有し電極となる。そして、洗浄ケーシング内縁２１が対電極となって、気泡が発生する。
【００４５】
例えば、図３での使用例を図６に示す。一般的に油や埃などの汚れは吸込口１から流入し、吸込口１側のフィルター１０面に衝突、捕集される。したがって、吸込口１側がより汚れの付着が多くなる。そこで吸込口１の逆側の排気装置５側のフィルター１０面を絶縁物で覆い、気泡発生を汚れが多いフィルター１０面側へと選択性を持たせることで洗浄性向上が見込める。これは実施の形態２においても実施可能であり、その場合は、対向板２５をフィルター１０の上流側に配置することで効果を得ることができる。
【００４６】
（実施の形態４）
また、図１や図４において、給水ポンプ１４や貯水装置１３内に給水された水に対して電解質を投入する、または投入された電解質と給水された水を調合するタンクを備えた電解質投入手段２７を設ける。電解質が洗浄水に溶けると、水の電導率を高め、低い電圧でも多くの水を電気分解し多量の気泡を発生させることができる。
【００４７】
投入する電解質は塩で良いが、水に溶けるとアルカリ性を示す金属塩が良い。アルカリ成分により油が軟化、ケン化するため汚れの洗浄性に高い効果を奏する。塩化物では陽極で塩素の発生が懸念されるため避けたほうが良く、一般家庭で用いるために好ましいのは特に炭酸水素ナトリウム（重曹）や炭酸ナトリウムが良い。また電解質の形状は粉末状、液体状、またはタブレット状であり、使用者により電解質投入手段２７へ投入することもできる。あるいは、予め電解質投入手段２７に備えられ洗浄時の給水とともに投入させるともできる。
【００４８】
電解質投入手段２７により投入される量は、規定の給水量に対して体積または重量、タブレットに関しては個数で規定することで、調整される洗浄水の電解質濃度を一定値に定め、洗浄性能の安定化を図ることができる。また、予め電解質を備え洗浄時に規定量を放出する電解質投入手段２７を設けることで、使用者の手を煩わせることなく上記効果を得ることができる。
【産業上の利用可能性】
【００４９】
本発明では、洗浄ケーシングを二重構造とし、洗浄ケーシング外縁は絶縁体、洗浄ケーシング内縁は導電体である構造をとり、一方フィルターは駆動手段に固定され、駆動手段接合部にて洗浄ケーシング外縁の絶縁部に固定され、フィルター自体は導電性であり、フィルターと洗浄ケーシング内縁を電極とした電圧電流供給装置を設けた構成をとることで、油煙や埃などの汚れを捕集するフィルターを洗浄する際に高い洗浄性を示し、フィルターの目詰まりを大きく軽減したものとして有用である。
【符号の説明】
【００５０】
１      吸込口
２      フード
３      ダクト
４      吐出口
５      排気装置
６      送風ケーシング
７      通風路
８      整流板
９      駆動手段
１０    フィルター
１１    洗浄ケーシング
１２    洗浄ノズル
１３    貯水装置
１４    給水ポンプ
１５ａ  給水パイプ
１５ｂ  給水パイプ
１６    給水手段
１７    小孔
１８    電磁弁
１９    排水手段
２０    洗浄ケーシング外縁
２１    洗浄ケーシング内縁
２２    駆動手段接合部
２３    電圧電流供給装置
２４    フィルター側配線
２５    対向板
２６    フィルター絶縁面
２７    電解質投入手段
１００  レンジフード
１０１  汚れを含む空気
１０２  吸気口
１０３  排気装置
１０４  フィルター
１０５  回転可動装置
１０６  センサー
２００  レンジフード
２０１  吸引口
２０２  ファン
２０３  フィルター
２０４  回転軸
２０５  洗浄タンク
２０６  洗浄液
【図１】
2017044440.tif 000003
【図２】
2017044440.tif 000004
【図３】
2017044440.tif 000005
【図４】
2017044440.tif 000006
【図５】
2017044440.tif 000007
【図６】
2017044440.tif 000008
【図７】
2017044440.tif 000009
【図８】
2017044440.tif 000010